【事件の表示】
　特願２００４−　２７７８７「アクティブマトリクス型液晶表示装置」拒絶査定不服審判事件〔平成１６年　６月１０日出願公開、特開２００４−１６３９７９〕について、次のとおり審決する。
【結　論】
　本件審判の請求は、成り立たない。
【理　由】
１．手続の経緯
　本願は、平成１２年６月２日に出願した特願２０００−１６６３１８号の特許出願の一部を平成１６年２月４日に新たな特許出願としたものであって、平成１７年２月２８日付で拒絶査定がなされ、これに対し、平成１７年４月１日付で拒絶査定に対する審判請求がなされ、同年４月２７日付で特許法第１７条の２第１項第３号の規定による手続補正がなされたものである。
　
２．平成１７年４月２７日付の手続補正についての補正却下の決定
［補正却下の決定の結論］
　 平成１７年４月２７日付の手続補正を却下する。
［理由］
（１）補正の内容
　本件補正は、特許請求の範囲の請求項１を下記のように補正することを含むものである。
「【請求項１】　スイッチング素子が形成された第１の基板と、前記第１の基板に対向して配置された第２の基板と、前記第１の基板と前記第２の基板の間に挟持された液晶層とを有するアクティブマトリクス型液晶表示装置であって、
　前記第１の基板上にマトリクス状に配置された複数の画素電極と、
　隣接する２つの画素電極間の間隙の位置に対応して前記第１の基板上に設けられ、前記スイッチング素子にデータ信号を供給するデータ線と、
　隣接する２つの画素電極の電位差に応じて前記液晶層内に生じる光漏れ領域を所定の視野角の範囲内で透過する光を遮るように、前記データ線の上方の位置に形成された絶縁性を有するブラックマトリクスとを有し、
　前記画素電極の端部が前記ブラックマトリクスの端部によって
直接に
　
　上記補正は、補正前の請求項１の画素電極とブラックマトリクスの関係をさらに具体的に限定しようとするものであって、特許請求の範囲の減縮を目的とするものに該当するので、本件補正後の請求項１（以下、「本願補正発明」という。）が特許出願の際独立して特許を受けることができるものであるかについて検討する。
　
（２）刊行物記載の事項
　原審における拒絶理由に引用した刊行物１：特開平１１−３２６９４４号公報には、以下の事項が記載されている。
「【請求項１】　互いに交差して設けられた複数の走査信号線およびデータ信号線と、マトリクス状に設けられたスイッチング素子と、画素電極とを有するアクティブマトリクス基板と；カラーフィルタと対向電極とを有する対向基板と；該アクティブマトリクス基板と該対向基板との間に配された液晶層とを備え、
　該信号線および該スイッチング素子の上部に透明性有機樹脂でなる層間絶縁膜が設けられ；該画素電極が、該スイッチング素子の上部に対応する領域を除いて該層間絶縁膜上に設けられ；そして、該層間絶縁膜の、該スイッチング素子の上部に対応する領域、該画素電極の間の領域、および該画素電極周縁部の下部の領域に、絶縁性遮光膜が設けられている、液晶表示装置。
　
【０００７】
【発明が解決しようとする課題】
　しかし、従来技術には以下の問題点がある。
【０００８】
　図５に示す液晶表示装置では、基板を貼り合わせる際の遮光膜の位置決めが非常に困難である。そのため、基板貼り合わせのマージンを大きくとらなければならず、かつ、高度な貼り合わせ技術が要求される。さらに、この液晶表示装置においては、信号配線と画素電極とが層間絶縁膜を介して形成されているのでＳ−Ｄリークは発生しにくいが、画素電極間のＤ−Ｄリークがダストなどによるパターニング不良で発生しやすくなる。
【０００９】
　特開平２−２０７２２２号公報に記載の技術は、遮光するために配線が金属で形成されているので、配線からの反射によるコントラスト低下がある。さらに、この技術では、信号配線と画素電極とを重ねる必要がある。信号配線と画素電極とを重ねない構造では、画素電極の横電界による液晶の配向乱れによる光漏れが発生し、コントラストの低下を招くからである。信号配線と画素電極とを重ねて形成すると、それから生じる結合容量によるクロストークが発生する。製造工程を簡略化するためにソース配線をＩＴＯなどの透明膜から形成する場合には、遮光できない。
【００１０】
　本発明は上記従来の課題を解決するためになされたものであり、その目的とするところは、表示品位に優れ、開口率が高く、かつ歩留まりに優れた液晶表示装置、およびこのような液晶表示装置の簡便安価な製造方法を提供することにある。
　
【００３１】
　次に、画素電極８をマスクとして、層間絶縁膜５の所定の部分を不透明に染色することにより遮光膜７を形成する。染色する色は遮光性を有する色であれば特に限定されないが、好ましくは黒色である。染色は、例えば、画素電極が形成された基板を、酸性染料または反応性染料に浸漬し、次いで、画素電極上の染料を洗浄して除去することにより行われる。・・・十分な遮光性を得るためには、層間絶縁膜を深さ方向に１〜２μｍ染色することが好ましい。深さ方向に１〜２μｍ染色すると、層間絶縁膜の深さ方向だけでなく、横方向にも染色が行われるので、自動的に画素電極８の周縁部の下部にも遮光膜７が形成される。従って、層間絶縁膜５の、ＴＦＴ２の上部に対応する領域、画素電極８の間の領域、および画素電極８周縁部の下部の領域に、絶縁性遮光膜７が形成される。最後に、任意の適切な方法で配向膜を形成して、アクティブマトリクス基板９を得る。」
　
　また、図２，図４の記載から、「アクティブマトリクス基板９と対向基板１２の間に挟持された液晶層１３とを有する液晶表示装置において、前記アクティブマトリクス基板９を構成する絶縁性基板１上にマトリクス状に配置された複数の画素電極８と、隣接する２つの画素電極間の間隙の位置に対応して前記絶縁性基板１上に設けられたデータ信号線４と、前記データ信号線４の上方の位置に形成された絶縁性遮光膜７とを有し、前記画素電極８周縁部の下部の領域が前記絶縁性遮光膜７の端部によって直接に覆われている」ことがみてとれる。
　
（３）対比・判断
　本願補正発明と上記刊行物１記載の事項とを対比する。
　（ア）刊行物１記載の「マトリクス状に設けられたスイッチング素子を有するアクティブマトリクス基板」、「対向基板」及び「液晶表示装置」は、それぞれ、本願補正発明の「スイッチング素子が形成された第１の基板」、「第２の基板」及び「アクティブマトリクス型液晶表示装置」に相当する。
　
　（イ）刊行物１記載の「隣接する２つの画素電極間の間隙の位置に対応して前記アクティブマトリクス基板９を構成する絶縁性基板１上に設けられたデータ信号線４」は、スイッチング素子にデータを供給することは自明であるから、本願補正発明の「隣接する２つの画素電極間の間隙の位置に対応して前記第１の基板上に設けられ、前記スイッチング素子にデータ信号を供給するデータ線」に相当する。
　
　（ウ）次に、本願補正発明の「前記画素電極の端部が前記ブラックマトリクスの端部によって直接に覆われている」について検討する。
　この記載に関連して、本願明細書には下記の記載が認められる。
　　（ａ）図２に関して、「【００３６】　図２は、本発明の第２の実施形態のアクティブマトリクス型液晶表示装置の構成を示す模式断面図である。・・・画素電極１５の縁部はブラックマトリクス１６に覆い被さるように形成されている。」とされ、図２には、画素電極の縁部の厚み方向の下半分がブラックマトリクスの縁部によって直接覆われているものが示されている。
　　（ｂ）図３に関連して、「【００３９】　図３は、本発明の第３の実施形態のアクティブマトリクス型液晶表示装置の構成を示す模式断面図である。・・・ブラックマトリクス１６が、画素電極１５の縁部に乗り出すように形成されている」とされ、図３には、画素電極の縁部の端面と上面のみがブラックマトリクスの縁部によって直接覆われているものが示されている。
　　（ｃ）図４に関連して、「【００４１】　図４は、本発明の第４の実施形態のアクティブマトリクス型液晶表示装置の構成を示す模式断面図である。・・・画素電極１５の縁部はブラックマトリクス１６に覆い被さるように形成されている。」とされ、図４には、画素電極の縁部の厚み方向の下半分がブラックマトリクスの縁部によって直接覆われているものが示されている。
　そして、本願補正発明の「画素電極の端部」については、画素電極の縁部の端面と上面のみを指すというような限定がなされておらず、また、発明の詳細な説明において、そのような定義もされていない以上、「前記画素電極の端部が前記ブラックマトリクスの端部によって直接に覆われている」は、図２〜図４に示された、画素電極の縁部（又はブラックマトリクスの縁部）がブラックマトリクスの縁部（又は画素電極の縁部）を直接覆うこと、すなわち、『画素電極の縁部（端部）とブラックマトリクスの縁部（端部）が互いに接して形成されている』ことを意味すると解するほかない。
　そうしてみると、刊行物１記載の「データ信号線４の上方の位置に形成された絶縁性遮光膜７」は、本願補正発明の「データ線の上方の位置に形成された絶縁性を有するブラックマトリクス」に相当し、刊行物１記載のものは、「前記画素電極８周縁部の下部の領域が前記絶縁性遮光膜７の端部によって直接に覆われている」のであるから、本願補正発明の「前記画素電極の端部が前記ブラックマトリクスの端部によって直接に覆われている」点が実質的に備わっている。
　（エ）さらに、前掲のとおり、刊行物１の【発明が解決しようとする課題】の【０００９】には、従来技術に関し、「信号配線と画素電極とを重ねない構造では、画素電極の横電界による液晶の配向乱れによる光漏れが発生し、コントラストの低下を招く」という問題点が指摘されているのであるから、刊行物１記載のものが、本願補正発明と同じ認識の上に、「隣接する２つの画素電極の電位差に応じて前記液晶層内に生じる光漏れ領域を所定の視野角の範囲内で透過する光を遮るように」なされていることは明らかである。
　
　以上のとおり、刊行物１には本願補正発明が実質的に全て記載されているから、本願補正発明は、特許法第２９条第１項第３号の規定により、特許出願の際独立して特許を受けることができないものである。
　
（４）むすび
　以上のとおり、本件補正は、特許法第１７条の２第５項において準用する同法第１２６条第５項の規定に違反するものであるから、特許法第１５９条第１項の規定において読み替えて準用する特許法第５３条第１項の規定により却下すべきものである。
　
３．本願発明について
（１）本願発明
　平成１７年４月２７日付の手続補正は上記のとおり却下されたので、本願の請求項に係る発明は、平成１６年１２月２４日付手続補正書によって補正された明細書及び図面の記載からみて、その特許請求の範囲の請求項１〜２に記載された事項によって特定されるものであるところ、請求項１に係る発明は、次のとおりのものである。
「【請求項１】　スイッチング素子が形成された第１の基板と、前記第１の基板に対向して配置された第２の基板と、前記第１の基板と前記第２の基板の間に挟持された液晶層とを有するアクティブマトリクス型液晶表示装置であって、
　前記第１の基板上にマトリクス状に配置された複数の画素電極と、
　隣接する２つの画素電極間の間隙の位置に対応して前記第１の基板上に設けられ、前記スイッチング素子にデータ信号を供給するデータ線と、
　隣接する２つの画素電極の電位差に応じて前記液晶層内に生じる光漏れ領域を所定の視野角の範囲内で透過する光を遮るように、前記データ線の上方の位置に形成された絶縁性を有するブラックマトリクスとを有し、
　前記画素電極の端部が前記ブラックマトリクスの端部によって覆われている、アクティブマトリクス型液晶表示装置。」（以下、「本願発明」という。）
　
（２）刊行物記載の発明
　原審における上記拒絶理由に引用した刊行物１：特開平１１−３２６９４４号公報には、上記２．（２）に摘記した事項が記載されている。
　
（３）対比・判断
　本願発明は、本願補正発明と比べて、「直接に」という文言を欠くものである。
　したがって、本願発明は、上記２．（３）対比・判断に示したと同様の理由により、刊行物１に実質的に記載された発明である。
　　なお、請求人は、意見書、審判請求書等において、上記刊行物１（拒絶理由に引用した引用文献３と同じ。）の記載事項を検討し、それと本願発明の相違点について言及しており、その中で特許法第２９条第１項第３号の同一性を含めて検討していることは明らかである。
　
（４）むすび
　したがって、本願発明は、刊行物１に記載された発明であるから、特許法第２９条第１項第３号の規定により特許を受けることができない。
　
　よって、結論のとおり審決する。